【手続補正書】
【提出日】平成26年3月12日(2014.3.12)
【手続補正１】
【補正対象書類名】特許請求の範囲
【補正対象項目名】全文
【補正方法】変更
【補正の内容】
【特許請求の範囲】
【請求項１】
サーバに格納されたプロセスデータにアクセスするための方法であって、
ウェブブラウザを介して前記プロセスデータにアクセスするために、リクエストを受信することと、
前記プロセスデータの少なくとも一部を格納するサーバを識別することであって、前記サーバは、相互運用データパッキングフォーマットに関連付けられる、識別することと、前記プロセスデータを受信するために、前記サーバにアクセスすることと、
前記相互運用データパッキングフォーマットに関連付けられたフォーマットから、ウェブ閲覧フォーマットへ、前記プロセスデータを変換することと、
前記変換されたプロセスデータの少なくとも第１の部分を、前記ウェブブラウザを介して表示するために、少なくとも１つのデータフィールドに埋め込むことと、を備える、方法。
【請求項２】
前記サーバを識別することは、前記リクエストに関連付けられた識別子を相互参照するリストにアクセスすることを含む、請求項１に記載の方法。
【請求項３】
前記相互運用データパッキングフォーマットは、オープンパッケージング規則（ｏｐｅｎ  ｐａｃｋａｇｉｎｇ  ｃｏｎｖｅｎｔｉｏｎ）に準拠する、請求項１又は請求項２に記載の方法。
【請求項４】
ターゲット表示情報を受信することと、
前記ターゲット表示情報および前記プロセスデータに対応する前記少なくとも１つのデータフィールドを含むテンプレートを決定することと、をさらに含む、請求項１〜請求項３の何れか１項に記載の方法。
【請求項５】
前記変換されたプロセスデータの少なくとも前記第１の部分を、前記少なくとも１つのデータフィールドに埋め込むことは、
少なくとも１つのデータタイプによって、前記変換されたプロセスデータをパーティション分割することと、
どのデータタイプが各データフィールドに関連付けられるかを決定することと、
前記各データタイプのためにデータフィールドを作成することと、
前記各データタイプに関連付けられた前記プロセスデータを、対応するデータフィールドに埋め込むことと、を含む、請求項１〜請求項４の何れか１項に記載の方法。
【請求項６】
どのデータタイプが前記各データフィールドに関連付けられるかを決定することは、
前記プロセスデータの各部分に関連付けられたメタデータを決定することと、
前記対応するデータフィールドに、前記メタデータを相互参照することと、を含む、請求項５に記載の方法。
【請求項７】
前記プロセスデータを格納する前記サーバの識別前に、前記リクエストを認証する（ａｕｔｈｅｎｔｉｃａｔｉｎｇ）ことをさらに含む、請求項１〜請求項６の何れか１項に記載の方法。
【請求項８】
前記リクエストは、前記ウェブブラウザを使用するクライアントからのものである、請求項１〜請求項７の何れか１項に記載の方法。
【請求項９】
前記変換されたプロセスデータの少なくとも前記第１の部分を含む前記少なくとも１つのデータフィールドを、ウェブページに埋め込むことと、
前記変換されたプロセスデータの少なくとも前記第１の部分を、前記ウェブページに表示するために、前記少なくとも１つのデータフィールド内に前記プロセスデータを含む前記ウェブページを、前記ウェブブラウザを使用する前記クライアントへ戻すことと、をさらに含む、請求項８に記載の方法。
【請求項１０】
前記リクエストは、前記ウェブブラウザ内で実行されるクライアント表示アプリケーションを使用するクライアントからのものである、請求項１〜請求項９の何れか１項に記載の方法。
【請求項１１】
前記クライアント表示アプリケーションに、前記変換されたプロセスデータの少なくとも前記第１の部分を含む、前記少なくとも１つのデータフィールドをアクセスおよび表示させる、前記ウェブブラウザに、命令を送信することをさらに含む、請求項１０に記載の方法。
【請求項１２】
前記サーバは、前記プロセスデータの第１の部分を格納する、請求項１〜請求項１１の何れか１項に記載の方法。
【請求項１３】
前記プロセスデータの第２の部分を格納する第２のサーバを識別することであって、前記第２のサーバは、前記相互運用データパッキングフォーマットに関連付けられる、識別することと、
前記プロセスデータの前記第２の部分を受信するために、前記第２のサーバにアクセスすることと、
前記相互運用データパッキングフォーマットに関連付けられた前記フォーマットから、
前記ウェブ閲覧フォーマットへ、前記プロセスデータの前記第２の部分を変換することと、
前記ウェブブラウザを介して、前記変換されたプロセスデータの前記第１の部分と共に表示するための前記少なくとも１つのデータフィールドに、前記変換されたプロセスデータの前記第２の部分を埋め込むことと、をさらに含む、請求項１２に記載の方法。
【請求項１４】
サーバに格納されるプロセスデータにアクセスするための装置であって、前記装置は、ウェブブラウザを介して前記プロセスデータにアクセスするためのリクエストに関連付けられた前記プロセスデータの少なくとも一部を格納する前記サーバを識別し、前記サーバは、相互運用データパッキングフォーマットに関連付けられ、かつ、
前記プロセスデータを受信するために前記サーバにアクセスするための、アダプタと、
前記プロセスデータを、前記相互運用データパッキングフォーマットに関連付けられたフォーマットから、ウェブ閲覧フォーマットに変換するためのコンバータと、
前記変換されたプロセスデータの少なくとも一部を、前記ウェブブラウザを介して表示する少なくとも１つのデータフィールドに埋め込むための、ウェブベースのインターフェースと、を備える、装置。
【請求項１５】
前記ウェブベースのインターフェースは、
前記変換されたプロセスデータの少なくとも前記一部を含む、前記少なくとも１つのデータフィールドを、ウェブページに埋め込み、
前記変換されたプロセスデータの少なくとも前記一部を、前記ウェブページに表示するために、前記少なくとも１つのデータフィールド内の前記プロセスデータを含む前記ウェブページを、前記ウェブブラウザを使用するクライアントへ戻すためのものである、請求項１４に記載の装置。
【請求項１６】
少なくとも１つのデータタイプによって、前記変換されたプロセスデータをパーティション分割し、
どのデータタイプが各データフィールドに関連付けられるかを決定し、
各データタイプのためにデータフィールドを作成し、
前記各データタイプに関連付けられた前記プロセスデータを、対応するデータフィールドに埋め込むことによって、
前記ウェブベースのインターフェースは、前記変換されたプロセスデータの少なくとも前記一部を、前記少なくとも１つのデータフィールドへ埋め込むためのものである、請求項１４に記載の装置。
【請求項１７】
どのデータタイプが各データフィールドに関連付けられるかを決定することは、
前記プロセスデータの各部分に関連付けられたメタデータを決定し、
前記メタデータを、前記対応するデータフィールドと相互参照するために、
データプロセッサを含む、請求項１６に記載の装置。
【請求項１８】
実行される際、マシンに、
ウェブブラウザを介して、プロセスデータにアクセスするためのリクエストを受信させ、
前記プロセスデータの少なくとも一部を格納するサーバを識別させ、前記サーバは、相互運用データパッキングフォーマットに関連付けられ、
前記プロセスデータを受信するために、前記サーバにアクセスさせ、
前記プロセスデータを、前記相互運用データパッキングフォーマットに関連付けられた
フォーマットから、ウェブ閲覧フォーマットに変換させ、
前記変換されたプロセスデータの少なくとも第１の部分を、前記ウェブブラウザを介した表示のために、少なくとも１つのデータフィールドに埋め込ませる、それに格納される命令を有する、マシンでアクセス可能な媒体。
【請求項１９】
マシンでアクセス可能な命令は、実行される際、
少なくとも１つのデータタイプによって、前記変換されたプロセスデータをパーティション分割し、
どのデータタイプが各データフィールドに関連付けられるかを決定し、
各データタイプのためにデータフィールドを作成し、
前記各データタイプに関連付けられた前記プロセスデータを、対応するデータフィールドに埋め込むことにより、
マシンに、前記変換されたプロセスデータの少なくとも前記第１の部分を、前記少なくとも１つのデータフィールドに埋め込ませる、請求項１８に記載のマシンでアクセス可能な媒体。
【請求項２０】
前記マシンでアクセス可能な命令は、実行される際、
前記プロセスデータの各部分に関連付けられたメタデータを決定し、
前記対応するデータフィールドに、前記メタデータを相互参照することにより、
前記マシンに、どのデータタイプが各データフィールドに関連付けられるかを決定させる、請求項１９に記載のマシンでアクセス可能な媒体。
【請求項２１】
前記マシンでアクセス可能な命令は、実行される際、前記マシンに、
前記変換されたプロセスデータの少なくとも前記第１の部分を含む前記少なくとも１つのデータフィールドを、ウェブページに埋め込ませ、
前記変換されたプロセスデータの少なくとも前記第１の部分を、前記ウェブページに表示させるために、前記少なくとも１つのデータフィールド内に前記プロセスデータを含む前記ウェブページを、前記ウェブブラウザを使用するクライアントへ戻させる、請求項１９又は請求項２０に記載のマシンでアクセス可能な媒体。
【請求項２２】
マシンでアクセス可能な命令は、実行される際、クライアント表示アプリケーションに、前記変換されたプロセスデータの少なくとも前記第１の部分を含む、前記少なくとも１つのデータフィールドにアクセスおよび表示させる前記ウェブブラウザへ、マシンに命令
を送信させる、請求項１９〜請求項２１の何れか１項に記載のマシンでアクセス可能な媒体。